(57)【要約】【課題】ソフトウェア処理の待ち時間に対応するポイントをユーザに与える。【解決手段】所定の態様での表示時間を計測し、計測した表示時間を記憶する。そして、記憶した表示時間をポイントに変換し、ポイント数を記憶、管理する。つまり、処理に掛かる待ち時間をポイントに変換するため、ユーザにとって退屈な待ち時間を有価価値に転換することができる。【選択図】図４
2012190309.tif 000002
【特許請求の範囲】
【請求項１】
処理に掛かる待ち時間を所定の態様で表示する端末であって、
前記所定の態様での表示時間を計測する計測手段と、
該計測した表示時間をポイントに変換し管理するポイント管理手段と、
該ポイント数を記憶するポイント数記憶手段と、
を備えたことを特徴とする端末。
【請求項２】
前記ポイント数に応じて、待ち時間の表示態様を変更する表示態様変更手段を備えたことを特徴とする請求項１に記載の端末。
【請求項３】
前記ポイント数記憶手段が、該ポイント数を暗号化して記憶することを特徴とする請求項１または請求項２に記載の端末。
【請求項４】
前記表示する所定の態様が、プログレスバーであることを特徴とする請求項１から請求項３に記載の端末。
【請求項５】
前記表示する所定の態様が、プログレスホイールであることを特徴とする請求項１から請求項３に記載の端末。
【請求項６】
処理に掛かる待ち時間を所定の態様で表示する端末と事業者サーバとからなるサービス提供システムであって、
前記端末が、
前記所定の態様での表示時間を計測する計測手段と、
該計測した表示時間をポイントに変換し管理するポイント管理手段と、
該ポイント数を記憶するポイント数記憶手段と、
該記憶するポイント数を前記事業者サーバに送信する第１の送信手段と、
を備え、
前記事業者サーバが、
前記端末からポイント数を受信する受信手段と、
該受信したポイント数に応じたサービスを提供するためのコンテンツを前記端末に送信する第２の送信手段と、
を備えたことを特徴とするサービス提供システム。
【請求項７】
前記端末が、前記記憶したポイント数に応じて、待ち時間の表示態様を変更する表示態様変更手段を備えたことを特徴とする請求項６に記載のサービス提供システム。
【請求項８】
前記ポイント数記憶手段が、該ポイント数を暗号化して記憶することを特徴とする請求項６または請求項７に記載のサービス提供システム。
【請求項９】
前記端末が、携帯端末であることを特徴とする請求項６から請求項８のいずれかに記載のサービス提供システム。
【請求項１０】
処理に掛かる待ち時間を所定の態様で表示する端末におけるポイント提供方法であって、
前記所定の態様での表示時間を計測する第１のステップと、
該記憶した表示時間をポイントに変換し管理する第２のステップと、
該ポイント数を記憶する第３のステップと、
を備えたことを特徴とするポイント提供方法。
【請求項１１】
処理に掛かる待ち時間を所定の態様で表示する端末と事業者サーバとからなるサービス提供システムにおけるサービス提供方法であって、
前記端末が、
前記所定の態様での表示時間を計測する第１のステップと、
該記憶した表示時間をポイントに変換し管理する第２のステップと、
該ポイント数を記憶する第３のステップと、
該記憶するポイント数を前記事業者サーバに送信する第４のステップと、
前記事業者サーバが、
前記端末からポイント数を受信する第５のステップと、
該受信したポイント数に応じたサービスを提供するためのコンテンツを前記端末に送信する第６のステップと、
を備えたことを特徴とするサービス提供方法。
【請求項１２】
処理に掛かる待ち時間を所定の態様で表示する端末におけるポイント提供方法をコンピュータに実行させるためのプログラムであって、
前記所定の態様での表示時間を計測する第１のステップと、
該計測した表示時間をポイントに管理する第２のステップと、
該ポイント数を記憶する第３のステップと、
をコンピュータに実行させるためのプログラム。
【請求項１３】
処理に掛かる待ち時間を所定の態様で表示する端末と事業者サーバとからなるサービス提供システムにおけるサービス提供方法をコンピュータに実行させるためのプログラムであって、
前記端末が、
前記所定の態様での表示時間を計測する第１のステップと、
該計測した表示時間をポイントに管理する第２のステップと、
該ポイント数を記憶する第３のステップと、
該記憶するポイント数を前記事業者サーバに送信する第４のステップと、
前記事業者サーバが、
前記端末からポイント数を受信する第５のステップと、
該受信したポイント数に応じたサービスを提供するためのコンテンツを前記端末に送信する第６のステップと、
をコンピュータに実行させるためのプログラム。
【発明の詳細な説明】
【技術分野】
【０００１】
本発明は、ソフトウェア処理の待ち時間に対応するポイントをユーザに与える端末、ポイント提供方法およびプログラムに関する。また、ユーザに与えたポイントに対応してサービスを提供するサービス提供システム、サービス提供方法およびプログラムに関する。
【背景技術】
【０００２】
従来、例えば、記録媒体からのインストールすべきファイルの全体の容量の合計を算出すると共に、記録媒体からファイルの一部をコピーし、そのコピー時間、コピーしたファイルの容量及びファイル容量の合計値からファイルのコピーに要する全体のコピー時間を算出し表示する。あるいは、ファイルのコピーに要する全体のコピー時間から現在のコピー時間を減算し、減算された時間を残りコピー時間として表示する技術が知られている（例えば、特許文献１参照。）。
【０００３】
また、パーソナルコンピュータのような端末で、サーバからソフトウェアをダウンロードするような場合にも、ある種の表示により、ソフトウェア処理の実行中であることをユーザに認知させる技術も知られている。
【先行技術文献】
【特許文献】
【０００４】
【特許文献１】特開平１０−００３４１３号公報
【発明の概要】
【発明が解決しようとする課題】
【０００５】
しかしながら、上記の特許文献１に記載の技術では、正確に作業の必要時間がわかり、これによって作業が終了するまでの無駄な待ち時間を利用者が知ることで、作業が終了するまでの時間を他の作業に割り当てられるようになるなど、利用者の作業効率の向上に寄与できるという効果があるのみであった。また、ソフトウェア処理でユーザに待ち時間を与える場合、プログレスバーやプログレスホイールなどで実行中であることを示すのみであり、ユーザは、ただ待つのみで、何らかの利益を得られるものではなかった。
【０００６】
そこで、本発明は、上述の課題に鑑みてなされたものであり、ソフトウェア処理の待ち時間に対応するポイントをユーザに与える端末およびユーザに与えたポイントに対応してサービスを提供するサービス提供システムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、処理に掛かる待ち時間を所定の態様で表示する端末であって、前記所定の態様での表示時間を計測する計測手段（例えば、図１の計測部１０６に相当）と、該計測した表示時間をポイントに変換し管理するポイント管理手段（例えば、図１のポイント管理部１０８に相当）と、該ポイント数を記憶するポイント数記憶手段（例えば、図１のポイント数記憶部１１０に相当）と、を備えたことを特徴とする端末を提案している。
【０００９】
この発明によれば、計測手段は、所定の態様での表示時間を計測する。ポイント管理手段は、計測した表示時間をポイントに変換し管理する。ポイント数記憶手段は、ポイント数を記憶する。つまり、処理に掛かる待ち時間をポイントに変換するため、ユーザにとって退屈な待ち時間を有価価値に転換することができる。
【００１０】
（２）本発明は、（１）の端末について、前記ポイント数に応じて、待ち時間の表示態様を変更する表示態様変更手段（例えば、図１の表示形態決定部１０４に相当）を備えたことを特徴とする端末を提案している。
【００１１】
この発明によれば、ポイント数に応じて、待ち時間の表示態様を変更する。したがって、待ち時間の表示態様を見れば、記憶されるポイント数を予想できるため、待ち時間が退屈でなくなる効果が期待できる。
【００１２】
（３）本発明は、（１）または（２）の端末について、前記ポイント数記憶手段が、該ポイント数を暗号化して記憶することを特徴とする端末を提案している。
【００１３】
この発明によれば、ポイント数記憶手段が、ポイント数を暗号化して記憶する。つまり、ポイントは、有価価値であるため、その情報を暗号化することにより、セキュリティを確保することができる。
【００１４】
（４）本発明は、（１）から（３）の端末について、前記表示する所定の態様が、プログレスバーであることを特徴とする端末を提案している。
【００１５】
この発明によれば、表示する所定の態様が、プログレスバーである。つまり、プログレスバーは、例えば、ソフトウェアの処理がどの程度進行しているかを棒グラフ状に表示するものであるため、処理の残量により残りの待ち時間をユーザに推測させ、更に処理を継続していることをユーザに示すための表示である。
【００１６】
（５）本発明は、（１）から（３）の端末について、前記表示する所定の態様が、プログレスホイールであることを特徴とする端末を提案している。
【００１７】
この発明によれば、表示する所定の態様が、プログレスホイールである。つまり、プログレスホイールは、例えば、処理の残量が不明な場合に、処理を継続していることをユーザに示すための表示である。
【００１８】
（６）本発明は、処理に掛かる待ち時間を所定の態様で表示する端末と事業者サーバとからなるサービス提供システムであって、前記端末が、前記所定の態様での表示時間を計測する計測手段（例えば、図１の計測部１０６に相当）と、該記憶した表示時間をポイントに変換し管理するポイント管理手段（例えば、図１のポイント管理部１０８に相当）と、該ポイント数を記憶するポイント数記憶手段（例えば、図１のポイント数記憶部１１０に相当）と、該記憶したポイント数の中から使用するポイント数を前記事業者サーバに送信する第１の送信手段（例えば、図１の送信部１１１に相当）と、を備え、前記事業者サーバが、前記端末からポイント数を受信する受信手段（例えば、図６の受信部２０１に相当）と、該受信したポイント数に応じたサービスを提供するためのアプリケーションなどのコンテンツを前記端末に送信する第２の送信手段（例えば、図６の送信部２０３に相当）と、を備えたことを特徴とするサービス提供システムを提案している。
【００１９】
この発明によれば、端末の計測手段は、所定の態様での表示時間を計測する。端末のポイント管理手段は、計測した表示時間をポイントに変換し管理する。端末のポイント数記憶手段は、ポイント数を記憶する。端末の第１の送信手段は、記憶したポイント数の中から使用するポイント数を事業者サーバに送信する。事業者サーバの受信手段は、端末からポイント数を受信する。事業者サーバの第２の送信手段は、受信したポイント数に応じたサービスを提供するためのコンテンツを端末に送信する。つまり、端末が処理に掛かる待ち時間をポイントに管理し事業者サーバが、端末の管理したポイント数に応じたサービスを提供するため、ユーザにとって退屈な待ち時間を有用なサービスに転換することができる。また、ユーザは、転換されるサービスへの期待感により、退屈な待ち時間を意味ある時間とすることができる。
【００２０】
（７）本発明は、（６）のサービス提供システムについて、前記端末が、前記管理したポイント数に応じて、待ち時間の表示態様を変更する表示態様変更手段（例えば、図１の表示形態決定部１０４に相当）を備えたことを特徴とするサービス提供システムを提案している。
【００２１】
この発明によれば、端末が、管理したポイント数に応じて、待ち時間の表示態様を変更する。したがって、待ち時間の表示態様を見れば、管理されるポイント数を予想できるため、待ち時間が退屈でなくなる効果が期待できる。
【００２２】
（８）本発明は、（６）または（７）のサービス提供システムについて、前記ポイント数記憶手段が、該ポイント数を暗号化して記憶することを特徴とするサービス提供システムを提案している。
【００２３】
この発明によれば、ポイント数記憶手段が、ポイント数を暗号化して記憶する。つまり、ポイントは、有価価値であるため、その情報を暗号化することにより、セキュリティを確保することができる。
【００２４】
（９）本発明は、（６）から（８）のサービス提供システムについて、前記端末が、携帯端末であることを特徴とするサービス提供システムを提案している。
【００２５】
この発明によれば、端末が、携帯端末である。携帯端末の場合、ネットワーク接続サービスを提供するサービス事業者と密接な関係があり、ポイントに基づいた付加サービスを提供することでネットワーク接続サービスの付加価値が増す。したがって、パーソナルコンピュータ等に比べて、ネットワーク接続提供サービスと関係する携帯端末において、より効果が期待できる。
【００２６】
（１０）本発明は、処理に掛かる待ち時間を所定の態様で表示する端末におけるポイント提供方法であって、前記所定の態様での表示時間を計測する第１のステップ（例えば、図４のステップＳ１０１に相当）と、該計測した表示時間をポイントに管理する第２のステップ（例えば、図４のステップＳ１０２に相当）と、該ポイント数を記憶する第３のステップ（例えば、図４のステップＳ１０３に相当）と、を備えたことを特徴とするポイント提供方法を提案している。
【００２７】
この発明によれば、所定の態様での表示時間を計測し、計測した表示時間を記憶する。そして、記憶した表示時間をポイントに変換、管理し、ポイント数を記憶する。つまり、処理に掛かる待ち時間をポイントに変換するため、ユーザにとって退屈な待ち時間を有価価値に転換することができる。
【００２８】
（１１）本発明は、処理に掛かる待ち時間を所定の態様で表示する端末と事業者サーバとからなるサービス提供システムにおけるサービス提供方法であって、前記端末が、前記所定の態様での表示時間を計測する第１のステップ（例えば、図７のステップＳ２０１に相当）と、該計測した表示時間をポイントに管理する第２のステップ（例えば、図７のステップＳ２０２に相当）と、該管理したポイント数を記憶する第３のステップ（例えば、図７のステップＳ２０３に相当）と、該記憶するポイント数を前記事業者サーバに送信する第４のステップ（例えば、図７のステップＳ２０４に相当）と、前記事業者サーバが、前記端末からポイント数を受信する第５のステップ（例えば、図７のステップＳ２０５に相当）と、該受信したポイント数に応じたサービスを提供するためのコンテンツを前記端末に送信する第６のステップ（例えば、図７のステップＳ２０６に相当）と、を備えたことを特徴とするサービス提供方法を提案している。
【００２９】
この発明によれば、端末が、所定の態様での表示時間を計測する。次に、計測した表示時間をポイントに変換、管理し、ポイント数を記憶して、記憶したポイント数の中から使用するポイント数を事業者サーバに送信する。そして、事業者サーバが、端末からポイント数を受信し、受信したポイント数に応じたサービスを提供するためのコンテンツを端末に送信する。つまり、端末が処理に掛かる待ち時間をポイントに変換し事業者サーバが、端末の管理したポイント数に応じたサービスを提供するため、ユーザにとって退屈な待ち時間を有用なサービスに転換することができる。また、ユーザは、転換されるサービスへの期待感により、退屈な待ち時間を意味ある時間とすることができる。
【００３０】
（１２）本発明は、処理に掛かる待ち時間を所定の態様で表示する端末におけるポイント提供方法をコンピュータに実行させるためのプログラムであって、前記所定の態様での表示時間を計測する第１のステップ（例えば、図４のステップＳ１０１に相当）と、該記憶した表示時間をポイントに変換し管理する第２のステップ（例えば、図４のステップＳ１０２に相当）と、該ポイント数を記憶する第３のステップ（例えば、図４のステップＳ１０３に相当）と、をコンピュータに実行させるためのプログラムを提案している。
【００３１】
この発明によれば、所定の態様での表示時間を計測し、計測した表示時間を記憶する。そして、記憶した表示時間をポイントに変換、管理し、ポイント数を記憶する。つまり、処理に掛かる待ち時間をポイントに変換するため、ユーザにとって退屈な待ち時間を有価価値に転換することができる。
【００３２】
（１３）本発明は、処理に掛かる待ち時間を所定の態様で表示する端末と事業者サーバとからなるサービス提供システムにおけるサービス提供方法をコンピュータに実行させるためのプログラムであって、前記端末が、前記所定の態様での表示時間を計測する第１のステップ（例えば、図７のステップＳ２０１に相当）と、該計測した表示時間をポイントに変換し管理する第２のステップ（例えば、図７のステップＳ２０２に相当）と、該ポイント数を記憶する第３のステップ（例えば、図７のステップＳ２０３に相当）と、該記憶するポイント数を前記事業者サーバに送信する第４のステップ（例えば、図７のステップＳ２０４に相当）と、前記事業者サーバが、前記端末からポイント数を受信する第５のステップ（例えば、図７のステップＳ２０５に相当）と、該受信したポイント数に応じたサービスを提供するためのコンテンツを前記端末に送信する第６のステップ（例えば、図７のステップＳ２０６に相当）と、をコンピュータに実行させるためのプログラムを提案している。
【００３３】
この発明によれば、端末が、所定の態様での表示時間を計測する。次に、計測した表示時間をポイントに変換、管理し、ポイント数を記憶して、記憶するポイント数を事業者サーバに送信する。そして、事業者サーバが、端末からポイント数を受信し、受信したポイント数に応じたサービスを提供するためのコンテンツを端末に送信する。つまり、端末が処理に掛かる待ち時間をポイントに管理し事業者サーバが、端末の管理したポイント数に応じたサービスを提供するため、ユーザにとって退屈な待ち時間を有用なサービスに転換することができる。また、ユーザは、転換されるサービスへの期待感により、退屈な待ち時間を意味ある時間とすることができる。
【発明の効果】
【００３４】
本発明によれば、これまでユーザのデメリットでしかなかったソフトウェア処理の待ち時間がユーザのメリットへ転化することにより、ユーザにとってソフトウェア処理の待ち時間が苦でなくなるという効果がある。
【図面の簡単な説明】
【００３５】
【図１】本発明の第１の実施形態に係る端末の構成を示す図である。
【図２】本発明の第１の実施形態に係る端末における処理時間の表示態様を例示した図である。
【図３】本発明の第１の実施形態に係る端末における処理時間の表示態様を例示した図である。
【図４】本発明の第１の実施形態に係る端末の処理を示す図である。
【図５】本発明の第２の実施形態に係るサービス提供システムの構成を示す図である。
【図６】本発明の第２の実施形態に係る事業者サーバの構成を示す図である。
【図７】本発明の第２の実施形態に係るサービス提供システムの処理を示す図である。
【発明を実施するための形態】
【００３６】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３７】
＜第１の実施形態＞
図１から図４を用いて、本実施形態に係る端末について、説明する。
【００３８】
＜端末の構成＞
本実施形態に係る端末は、図１に示すように、受信部１０１と、制御部１０３と、表示形態決定部１０４と、表示部１０５と、計測部１０６と、ポイント管理部１０８と、暗号化部１０９と、ポイント数記憶部１１０と、送信部１１１、記憶部１１２とから構成されている。
【００３９】
受信部１０１は、例えば、インターネット網を介して、ダウンロードするコンテンツを受信するとともに、事業者サーバ等からサービスに対応したアプリケーションなどのコンテンツを受信する。受信部１０１を介して、コンテンツをダウンロードする。
【００４０】
制御部１０３は、図示しない記憶部に格納された制御プログラムにしたがって、端末内で動作するソフトウェアの動作を制御する。本実施形態においては、例えば受信部１０１におけるダウンロード動作の制御、表示形態決定部１０４の制御、計測部１０６の制御等を行う。
【００４１】
表示形態決定部１０４は、ユーザに処理中であることを示す表示の形態を決定する。例えば、図２に示すように、プログレスバーで表示する場合には、ソフトウェアのダウンロードに要する時間に応じて、図２（Ａ）、（Ｂ）、（Ｃ）に示すように、プログレスバーの進捗により処理にかかる残り時間をユーザに推測させると共に、ポイント加算に応じて例えばポイント数とポイント加算までの残り時間表示をすることで待ち時間のストレスを軽減する。また、プログレスホイールで表示する場合には、図３（Ａ）、（Ｂ）、（Ｃ）に示すように、プログレスホイールの回転により処理を継続していることをユーザに認識させると共に、ポイント加算に応じて例えばポイント数とポイント加算までの残り時間表示をすることで待ち時間のストレスを軽減する。なお、プログレスバーの幅や配色、プログレスホイールの直径や配色を変更する等でポイント数やポイントの加算までの進捗度を表しても良い。
【００４２】
表示部１０５は、表示形態決定部１０４において決定されたプログレスバーあるいはプログレスホイール等を表示して、処理中であることをユーザに知らせる。
【００４３】
計測部１０６は、処理の開始時から経過した時間を制御部１０３に通知する。また、計測結果をポイント管理部１０８に出力する。
【００４４】
ポイント管理部１０８は、計測部１０６で計測した処理時間をポイント数に変換し、記憶部１１２に記憶されているポイント数へ加算しポイントを管理する。
【００４５】
暗号化部１０９は、ポイント数記憶部１１０において記憶するポイント数を暗号化する。ポイント数記憶部１１０は、暗号化部１０９において暗号化されたポイント数を記憶する。記憶したポイントを確認する場合は、記憶部から記憶しているポイントを扱うためのソフトウェアを読み込み、制御部で実行する。制御部１０３は、ポイント管理部１０８に問合せ、記憶されているポイント数を確認する。ポイント管理部１０８は暗号化部１０９を介してポイント数記憶部１１０のポイント数を復号化し、ポイント数を得ることで記憶されているポイント数を確認できる。記憶したポイントを使用する場合は、記憶部１１２から記憶しているポイントを扱うためのソフトウェアを読み込み、制御部１０３で実行する。制御部１０３は、ポイント管理部１０８に使用するポイント数を要求する。ポイント管理部１０８は暗号化部１０９を介してポイント数記憶部１１０のポイント数を復号化し、ポイント数を減算することで記憶されているポイント数を使用できる。送信部１１１は、ポイント数記憶部１１０に記憶されたポイント数を使用して、例えば、ネットワークを介して、事業者サーバに送信し、サービス事業者が提供するポイントを使用したサービスを受ける。
【００４６】
＜端末の処理＞
図４を用いて、本実施形態に係る端末の処理について説明する。
【００４７】
まず、所定の態様での表示時間を計測し（ステップＳ１０１）、表示時間（処理にかかった時間）をポイントに変換し（ステップＳ１０２）、変換したポイント数を記憶する（ステップＳ１０３）。
【００４８】
以上、説明したように、本実施形態によれば、処理に掛かる待ち時間をポイントに管理するため、ユーザにとって退屈な待ち時間を有価価値に転換することができる。
【００４９】
＜第２の実施形態＞
図５から図７を用いて、本実施形態に係るサービス提供システムについて、説明する。
【００５０】
＜サービス提供システムの構成＞
図５を用いて、本実施形態に係るサービス提供システムの構成について説明する。本実施形態に係るサービス提供システムは、図５に示すように、端末１００と事業者サーバ２００とから構成されている。本システムは、端末１００が、ソフトウェアのダウンロードに要する時間に対応するポイント数を事業者サーバ２００に送信し、事業者サーバ２００が、受信したポイント数に応じたサービスを端末１００に提供するものである。なお、端末１００の機能および構成は、第１の実施形態で説明したものと同様であるため、その詳細な説明は、省略する。
【００５１】
＜事業者サーバの構成＞
図６を用いて、事業者サーバの構成について説明する。本実施形態に係る事業者サーバは、図６に示すように、受信部２０１と、データベース２０２と、送信部２０３とから構成されている。
【００５２】
受信部２０１は、端末１００からポイント数を受信する。なお、ポイント数が暗号化されている場合には、図示しない復号化部において、ポイント数を復元する。受信したポイント数は、図示しない制御部により、データベース２０２内のデータと照合され、受信したポイント数に応じたサービス、具体的には、抽選くじアプリケーションやクーポン等のコンテンツを検出して、送信部２０３に出力する。送信部２０３は、検出した抽選くじアプリケーションやクーポン等を端末１００に送信する。
【００５３】
＜サービス提供システムの処理＞
図７を用いて、サービス提供システムの処理について説明する。
【００５４】
まず、端末が、所定の態様での表示時間を計測する（ステップＳ２０１）。そして、表示時間をポイントに変換し（ステップＳ２０２）、変換したポイント数を記憶して（ステップＳ２０３）、記憶したポイント数の中から使用するポイント数を減算し、使用するポイント数を事業者サーバに送信する（ステップＳ２０４）。
【００５５】
事業者サーバは、端末からポイント数を受信し（ステップＳ２０５）、受信したポイント数に応じたサービスを提供するためのコンテンツを端末に送信する（ステップＳ２０６）。
【００５６】
以上、説明したように、本実施形態によれば、端末が処理に掛かる待ち時間をポイントに変換し事業者サーバが、端末の変換したポイント数に応じたサービスを提供するため、ユーザにとって退屈な待ち時間を有用なサービスに転換することができる。また、ユーザは、転換されるサービスへの期待感により、退屈な待ち時間を意味ある時間とすることができる。
【００５７】
なお、端末および事業者サーバの処理をコンピュータ読み取り可能な記録媒体に記録し、この記録媒体に記録されたプログラムを端末および事業者サーバに読み込ませ、実行することによって本発明の端末およびサービス提供システムを実現することができる。ここでいうコンピュータシステムとは、ＯＳや周辺装置等のハードウェアを含む。
【００５８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００５９】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００６０】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６１】
１００；端末
１０１；受信部
１０３；制御部
１０４；表示形態決定部
１０５；表示部
１０６；計測部
１０８；ポイント管理部
１０９；暗号化部
１１０；記憶部
１１１；送信部
２００；事業者サーバ
２０１；受信部
２０２；データベース
２０３；送信部
【図１】
2012190309.tif 000003
【図２】
2012190309.tif 000004
【図３】
2012190309.tif 000005
【図４】
2012190309.tif 000006
【図５】
2012190309.tif 000007
【図６】
2012190309.tif 000008
【図７】
2012190309.tif 000009